(57)【要約】【課題】  トンネル内壁を補修する工法を提供することにある。【解決手段】  トンネル内壁面に沿って側壁パネル、頂版パネルを配してあり、前記側壁パネルと頂版パネルはそれぞれ、周縁に厚肉部が形成され、一方のパネルの厚肉部にインサートが埋設され、他方のパネルの貫通部から挿入され厚肉部から突設した長ボルトを前記インサートに螺合することにより前記パネル相互を接続し、前記トンネル内壁面と前記各パネルとの間隙には裏込めコンクリートを注入打設する。【選択図】    図１ 
2005083150.tif 000002
【特許請求の範囲】
【請求項１】
トンネル内壁面に沿って側壁パネル、項版パネルを配してあり、前記側壁パネルと項版パネルはそれぞれ、周縁に厚肉部が形成され、一方のパネルの厚肉部にインサートが埋設され、他方のパネルの貫通部から挿入され厚肉部から突設した長ボルトを前記インサートに螺合することにより前記パネル相互を接続し、前記トンネル内壁面と前記各パネルとの間隙には裏込めコンクリートを注入打設することを特徴とするトンネル内壁の補修工法。
【請求項２】
継手部のパネルの貫通部を注入孔として裏込めコンクリートを打設する請求項１記載のトンネル内壁の補修工法。
【発明の詳細な説明】
【技術分野】
【０００１】
この発明はトンネル内壁の補修工法に関するものである。
【背景技術】
【０００２】
従来トンネル内壁の経年による風化、劣化等による損傷について補修工事を施す必要が生ずる。その補修方法はモルタルまたは樹脂類の吹付け、鉄板等の貼付、プレキャスト板の取付け等種々の工法が実施または検討されている。
【０００３】
その他既設トンネルの補修方法としてプレキャストコンクリート部材や鋼板で内側パネルを構成し、既設のトンネル内壁とパネルとの間を裏込めを行い一体化する方法とスライドフォーム等を使用した現場打ちコンクリートの打設する方法がある。
【特許文献１】特公平４−３４６７９号公報
【特許文献２】特公平４−３４６８０号公報
【特許文献３】特公平４−３６２４０号公報
【特許文献４】特公平４−６５９５９号公報
【発明の開示】
【発明が解決しようとする課題】
【０００４】
既設のトンネルの補修においては、工事期間中の使用が不可能となるため、工期の短縮による工費の縮減が図られてきたが、従来のプレキャストコンクリート部材や鋼板で内側パネルを構成する方法では、地山にロックボルトを打ち込み固定若しくは枕壁など別途に施工し、これらを取付ける必要があった。
【０００５】
既存の内空断面を確保すべく、覆工材の厚さを薄くする必要があるが、鋼板を使用した場合は、鋼板の防錆処理を必要とし、結果的に高い維持費を必要とする。また、断面厚さを５ｃｍ程度の薄肉プレキャストコンクリートパネルを使用した場合、パネル間を繋ぐ金具、ボルトが露出するため、継手部の防錆や防水工に多くの手間を要する。さらに従来の継手は、覆工材の内面側から継手を締結する方法であり、特に部材厚が薄い場合は、部材間に等辺山形鋼等を渡しボルトで締結するなどの方法が行われていた。この発明は、高強度コンクリートを使用した薄肉プレキャストコンクリートパネルであり、この発明の継手は継手部が地山側に貫通した構造であり、継手ボルトの「へりあき寸法」が大きくとることができ、また地山側および覆工材内面の両方から締結が可能な継手部の構造となる。
【発明の効果】
【０００６】
この発明は以上の構成からなり、側壁パネル、項版パネルを薄板で形成でき、しかも周縁に厚肉部が形成され、そこに継手ボルト、インサートを配することができるので、継手ボルトの「へりあき寸法」を大きくとることができ、曲げモーメント、せん断力に対して安定した強度をもたらすことができる。
【０００７】
またボルトを嵌める貫通した継手部は注入孔として利用できる。
【発明を実施するための最良の形態】
【０００８】
以下この発明の具体的な実施形態を図面に基いて説明する。
【実施例】
【０００９】
図１は補修すべき既設トンネルＡの断面を示しており、その内壁面に沿って側壁パネル１と項版パネル２を配してある。この側壁パネル１と項版パネル２にはそれぞれ周縁に厚肉部が形成され、内面は凹溝状で裏込め間隙を形成する。このパネル１，２は断面厚さを５ｃｍ程度に薄くできる。
【００１０】
一方の側壁パネル１の厚肉部にはインサート３が接合端部に開口して埋設してあり、他方の側壁パネル２の接合部に近く貫通部４が設けてあり、この貫通部４から長ボルトを挿通し、この長ボルト５の先端を前記インサート３に螺合して隣接する側壁パネル１を接合する。同様の接合方法をもって側壁パネル１と項版パネル２をも接合する。裏込めコンクリートＢを打設するに際しては、金具１１をボルト６でインサート７に螺合して取付け、この金具１１を通してコンクリートを注入する。
【００１１】
なお項版パネル２の項部には図６に示すように複数の注入口を通して裏込めする。
【００１２】
図７は押出しボルト８を側壁パネル１を通して挿入し、裏込めコンクリートのための間隙を保持する。
【００１３】
図８は側壁パネル１の下端を高さ調整できるジャッキ９で支持できる状態を示している。
【００１４】
なお必要により既設トンネルＡの下部に底版パネル１０を設ける。
【図面の簡単な説明】
【００１５】
【図１】この発明を実施するトンネルの断面図である。
【図２】パネルの組立状態の側面図である。
【図３】継手部の断面図である。
【図４】継手部の正面図である。
【図５】裏込め状態の断面図である。
【図６】項版の裏込め状態の断面図である。
【図７】押出しボルトの使用状態図である。
【図８】ジャッキの使用状態図である。
【符号の説明】
【００１６】
Ａ…既製トンネル、Ｂ…裏込めコンクリート
１…側壁パネル、２…項版パネル、３…インサート、４…貫通部、５…長ボルト具、６…ボルト、７…インサート、８…ボルト、９…ジャッキ、１０…底版パネル、
１１…金具
【図１】
2005083150.tif 000003
【図２】
2005083150.tif 000004
【図３】
2005083150.tif 000005
【図４】
2005083150.tif 000006
【図５】
2005083150.tif 000007
【図６】
2005083150.tif 000008
【図７】
2005083150.tif 000009
【図８】
2005083150.tif 000010
【手続補正書】
【提出日】平成15年9月18日(2003.9.18)
【手続補正１】
【補正対象書類名】特許請求の範囲
【補正対象項目名】全文
【補正方法】変更
【補正の内容】
【特許請求の範囲】
【請求項１】
トンネル内壁面に沿って側壁パネル、頂版パネルを配してあり、前記側壁パネルと頂版パネルはそれぞれ、周縁に厚肉部が形成され、一方のパネルの厚肉部にインサートが埋設され、他方のパネルの貫通部から挿入され厚肉部から突設した長ボルトを前記インサートに螺合することにより前記パネル相互を接続し、前記トンネル内壁面と前記各パネルとの間隙には裏込めコンクリートを注入打設することを特徴とするトンネル内壁の補修工法。
【請求項２】
継手部のパネルの貫通部を注入孔として裏込めコンクリートを打設する請求項１記載のトンネル内壁の補修工法。
【手続補正２】
【補正対象書類名】明細書
【補正対象項目名】０００６
【補正方法】変更
【補正の内容】
【０００６】
この発明は以上の構成からなり、側壁パネル、頂版パネルを薄板で形成でき、しかも周縁に厚肉部が形成され、そこに継手ボルト、インサートを配することができるので、継手ボルトの「へりあき寸法」を大きくとることができ、曲げモーメント、せん断力に対して安定した強度をもたらすことができる。
【手続補正３】
【補正対象書類名】明細書
【補正対象項目名】０００９
【補正方法】変更
【補正の内容】
【０００９】
図１は補修すべき既設トンネルＡの断面を示しており、その内壁面に沿って側壁パネル１と頂版パネル２を配してある。この側壁パネル１と頂版パネル２にはそれぞれ周縁に厚肉部が形成され、内面は凹溝状で裏込め間隙を形成する。このパネル１，２は断面厚さを５ｃｍ程度に薄くできる。
【手続補正４】
【補正対象書類名】明細書
【補正対象項目名】００１０
【補正方法】変更
【補正の内容】
【００１０】
一方の側壁パネル１の厚肉部にはインサート３が接合端部に開口して埋設してあり、他方の側壁パネル２の接合部に近く貫通部４が設けてあり、この貫通部４から長ボルトを挿通し、この長ボルト５の先端を前記インサート３に螺合して隣接する側壁パネル１を接合する。同様の接合方法をもって側壁パネル１と頂版パネル２をも接合する。裏込めコンクリートＢを打設するに際しては、金具１１をボルト６でインサート７に螺合して取付け、この金具１１を通してコンクリートを注入する。
【手続補正５】
【補正対象書類名】明細書
【補正対象項目名】００１１
【補正方法】変更
【補正の内容】
【００１１】
なお頂版パネル２の頂部には図６に示すように複数の注入口を通して裏込めする。
【手続補正６】
【補正対象書類名】明細書
【補正対象項目名】００１５
【補正方法】変更
【補正の内容】
【００１５】
【図１】この発明を実施するトンネルの断面図である。
【図２】パネルの組立状態の側面図である。
【図３】継手部の断面図である。
【図４】継手部の正面図である。
【図５】裏込め状態の断面図である。
【図６】頂版の裏込め状態の断面図である。
【図７】押出しボルトの使用状態図である。
【図８】ジャッキの使用状態図である。
【手続補正７】
【補正対象書類名】明細書
【補正対象項目名】００１６
【補正方法】変更
【補正の内容】
【００１６】
Ａ…既製トンネル、Ｂ…裏込めコンクリート
１…側壁パネル、２…頂版パネル、３…インサート、４…貫通部、５…長ボルト具、６…ボルト、７…インサート、８…ボルト、９…ジャッキ、１０…底版パネル、
１１…金具